(57)【要約】【課題】スタートレバーに糸などを引っ掛けて、体感器からのタイミングに合わせて足等で糸を引っ張るという不正行為をおこなっても、スタートレバーが引き下げられるタイミングをずらさせて、入賞できないようにする不正防止具を提供することを目的とする。【解決手段】不正防止具１は、糸状部材ＴをスタートレバーＬよりも使用者側で係止するとともに、糸状部材Ｔの係止位置を所定位置から滑らせるための円弧縁４１を有する係止部２を備える。これにより、スタートレバーＬに取り付けられた糸状部材Ｔを操作してスタートレバーＬを操作しようとすると、糸状部材Ｔが円弧縁を滑り、定位置に停止しないため、スタートレバーＬは使用者の意図に反して操作され、使用者は、スタートレバーＬを引き下げるタイミングを、体感器が知らせる入賞のタイミング通りにすることができない。【選択図】図２
2007135871.tif 000002
【特許請求の範囲】
【請求項１】
スロットマシンのスタートレバーに糸状部材を取り付けて下垂させ、前記糸状部材を介して前記スタートレバーを不正に操作する不正行為を防止するためのスロットマシン用不正防止具であって、
前記スタートレバーの下方に配置され、前記糸状部材を前記スタートレバーよりも使用者側で係止するとともに、前記糸状部材の係止位置を所定位置から滑らせるための傾斜縁または円弧縁を有する係止部を備え、
前記傾斜縁または前記円弧縁は、前記糸状部材にスタートレバー操作方向の力が加えられる際に、係止された前記糸状部材の係止位置が定位置に停止するのを阻止し、係止位置を変動させることを特徴とするスロットマシン用不正防止具。
【請求項２】
請求項１に記載のスロットマシン用不正防止具において、
前記係止部の前記傾斜縁または前記円弧縁は、円弧状に角取りされていることを特徴とするスロットマシン用不正防止具。
【請求項３】
請求項１または請求項２に記載のスロットマシン用不正防止具において、
前記係止部は、前記スタートレバーよりも使用者側に円弧状に突出する鍔状部であることを特徴とするスロットマシン用不正防止具。
【請求項４】
請求項１ないし請求項３のいずれかに記載のスロットマシン用不正防止具において、
前記係止部の反使用者側にケースが一体的に設けられていることを特徴とするスロットマシン用不正防止具。
【請求項５】
請求項４に記載のスロットマシン用不正防止具において、
前記ケースは、上端を投入口とし、前面、背面、両側面、底面が覆われた略箱形状をしており、下端部は、前面と両側面が開口しており、底面には複数の貫通穴が設けられていることを特徴とするスロットマシン用不正防止具。
【発明の詳細な説明】
【技術分野】
【０００１】
本発明は、スロットマシンのスタートレバーへの不正を防止するための不正防止具に関する。
【背景技術】
【０００２】
スロットマシンに対する不正行為として、入賞と同じ周期記憶させた特殊な装置（例えば、体感器）を用いて、その装置が知らせる入賞のタイミングを知らせてもらい、そのタイミングに合わせて、スタートレバーを押下することにより、不正に入賞を高確率で引き当てる行為がある。
例えば、体感器と連動して動くソレノイドを手に隠し、ソレノイドによって入賞のタイミングでスタートレバーを押下させるものがある。
このような不正を防止するために、特許文献１では、スタートレバーを軟質素材によって被包することで、ソレノイドによる衝撃を吸収して、スタートレバーの押下をさせにくくする技術が開示されている。
【０００３】
また、図３に示すように、手にソレノイドを隠し持つことは不信に思われやすいため、スタートレバーＬに目立たない糸状部材Ｔ（ピアノ線等）を引っ掛けて、その糸状部材Ｔを体感器の知らせるタイミングに合わせて足で操作し、手はカモフラージュとして普通に操作しているように見せかける不正行為がある。
このような不正行為は、目立たず、見回る店員が発見することも難しく、問題となっている。
【特許文献１】特開２００４−２９８５５１号公報
【発明の開示】
【発明が解決しようとする課題】
【０００４】
本発明は上記の問題点を解決するためになされたものであり、スタートレバーに糸などを引っ掛けて、体感器からのタイミングに合わせて足等で糸を引っ張るという不正行為をおこなっても、スタートレバーが引き下げられるタイミングをずらさせて、入賞できないようにする不正防止具を提供することを目的とする。
【課題を解決するための手段】
【０００５】
〔請求項１の手段〕
請求項１に記載の不正防止具によれば、スロットマシンのスタートレバーに糸状部材を取り付けて下垂させ、糸状部材を介してスタートレバーを不正に操作する不正行為を防止するための不正防止具であって、スタートレバーの下方に配置され、糸状部材をスタートレバーよりも使用者側で係止するとともに、糸状部材の係止位置を所定位置から滑らせるための傾斜縁または円弧縁を有する係止部を備え、傾斜縁または円弧縁は、糸状部材にスタートレバー操作方向の力が加えられる際に、係止された糸状部材の係止位置が定位置に停止するのを阻止し、係止位置を変動させる。
【０００６】
これにより、スタートレバーに糸状部材を取り付けて、足等で糸状部材を引っ張るという不正行為を行おうとして、糸状部材に力を加えると、糸状部材が傾斜縁または円弧縁を滑り、定位置に停止しないため、スタートレバーは使用者の意図に反して操作される。
結果として、使用者は、スタートレバーを引き下げるタイミングを、体感器が知らせる入賞のタイミング通りにすることができず、不正に入賞を引き当てることができない。
【０００７】
〔請求項２の手段〕
請求項２に記載の不正防止具によれば、係止部の傾斜縁または円弧縁は、円弧状に角取りされている。
これにより、さらに、糸状部材が傾斜縁または円弧縁を滑りやすくなり、不正行為を防止することができる。
【０００８】
〔請求項３の手段〕
請求項３に記載の不正防止具によれば、係止部は、スタートレバーよりも使用者側に円弧状に突出する鍔状部である。
【０００９】
〔請求項４の手段〕
請求項４に記載の不正防止具によれば、係止部の反使用者側にケースが一体的に設けられている。
これにより、物入れとしてだけではなく、不正防止のためにも用いることができる。
【００１０】
〔請求項５の手段〕
請求項５に記載の不正防止具によれば、ケースは、上端を投入口とし、前面、背面、両側面、底面が覆われた略箱形状をしており、下端部は、前面と両側面が開口しており、底面には複数の貫通穴が設けられている。
これにより、ケースの底の汚れを、開口している部分から手を入れて掃除することができる。また、底にあるゴミを取り出すのに、ケースを逆さまにすることをしなくても、底の複数の貫通穴や、開口している部分から取り出すことができる。
【発明を実施するための最良の形態】
【００１１】
最良の形態の不正防止具は、スロットマシンのスタートレバーに糸状部材を取り付けて下垂させ、糸状部材を介してスタートレバーを不正に操作する不正行為を防止するための不正防止具であって、スタートレバーの下方に配置され、糸状部材をスタートレバーよりも使用者側で係止するとともに、糸状部材の係止位置を所定位置から滑らせるための傾斜縁または円弧縁を有する係止部を備え、傾斜縁または円弧縁は、糸状部材にスタートレバー操作方向の力が加えられる際に、係止された糸状部材の係止位置が定位置に停止するのを阻止し、係止位置を変動させる。そして、係止部の傾斜縁または円弧縁は、円弧状に角取りされている。
【００１２】
また、係止部は、スタートレバーよりも使用者側に円弧状に突出する鍔状部である。係止部の反使用者側に物入れケースが一体的に設けられている。ケースは、上端を投入口とし、前面、背面、両側面、底面が覆われた略箱形状をしており、下端部は、前面と両側面が開口しており、底面には複数の貫通穴が設けられている。
【実施例１】
【００１３】
〔実施例１の構成〕
実施例１の不正防止具１の構成を、図１、２を用いて説明する。
実施例１の不正防止具は、スロットマシンＭの上下に操作されるスタートレバーＬに取り付けられた糸状部材ＴをスタートレバーＬよりも使用者側（前方）で係止する係止部２と、係止部２の反使用者側（後方）に設けられたケース３からなる。係止部２とケース３は樹脂で一体成形されている。
【００１４】
この実施例では、係止部２は、ケース３の上端部に前方に突出して設けられた鍔状部４となっている。この鍔状部４は、輪郭形状が使用者側に突出する円弧状となっている円弧縁４１を有する。
具体的には、円弧縁４１は、中央部分が中心点を後方に有する比較的大きい半径の円弧であり、その円弧の両端に中心点を鍔状部４の内側に有する比較的半径の小さい円弧の一部が滑らかに連続して繋がっている形状である。
この円弧縁４１の一番突出している部分が、スタートレバーの下になるように設置される（図２参照）。
また、円弧縁４１は、円弧状の角取りがされている（図１（ｂ）参照）。
【００１５】
ケース３は、鍔状部４の後方に設けられている。ケース３は、箱状に形成された物入れ部６と、スロットマシンに取り付けるための取り付けアセンブリ７とを有する。
【００１６】
物入れ部６は、鍔状部４が設けられている前面板６１と、前面板６１の両側に設けられた側面板６２、６２とを有する。前面板６１の後方に前面板６１と対向する位置に前面板６１及び側面板６２、６２よりも下方に長い背面板６３が設けられ、背面板６３の下端において背面板６３と直角に前方に向けて設けられ底板６４が設けられている。前面板６１と背面板６３との間には仕切り板６５が架設されて、全体として箱状に形成されている。
【００１７】
背面板６３が前面板６１及び側面板６２、６２よりも長く、その背面板６３の下端に底板６４が設けられていることで、前面板６１の下端と、底板６４との間には、開口部６６が形成され、ケース３の下端部は前面と両側面が開口している形状となる。そして、底板６４には、複数の前後に細長い貫通穴６４ａが設けられている。
前面板６１には、上端において前面板６１と垂直に前方に向けて鍔状部４が設けられている。
【００１８】
仕切り板６５は、一方の側面板６２と仕切り板６５との距離が、他方の側面板６２と仕切り板６５との距離よりも長くなるように配置されている。
そして、仕切り板６５により仕切られ形成された第１室６７Ａ（側面板６２と仕切り板６５との距離が長い方）は煙草の箱とライターとを並べて入れることができる大きさである。また、第２室６７Ｂ（側面板６２と仕切り板６５との距離が短い方）は携帯電話を入れることができる大きさである。第１室６７Ａ及び第２室６７Ｂは、それぞれ上端が投入口６８Ａ、６８Ｂとなっている。
【００１９】
取り付けアセンブリ７は、背面板６３の後方に、背面板６３とともに下方が開口した箱状空間を形成する取り付け部８と、取り付け部８の下方から挿入される取り付け治具９とを有する。
【００２０】
取り付け部８は、背面板６３の後方に背面板６３と対向するように設けられた後部板８１と、側面板６２、６２から後部板に延長された側面板延長部８２、８２と、物入れ部６上端部と後部板とをつなぐ上面板８３と、背面板６３と後部板８１との間に設けられた架設板８４とで形成される。架設板８４は、上部が後部板８１と接合しており、下部は後部板８１との間に隙間を形成している。
【００２１】
取り付け治具９は、断面が略Ｖ字状であり、後部板８１をはさむ、はさみ部９１と、はさみ部９１と所定角度の傾斜にて設けられた角度保持部９２とを有する。角度保持部９２の後側の面には、両面テープが設けられている。
【００２２】
はさみ部９１が取り付け部８に嵌め込まれた状態で、角度保持部９２の両面テープにより、不正防止具１はスロットマシンＭへ取り付けられる。取り付け部の後方で角度保持部９２がスロットマシンＭへの取り付け角度を所定角度に保持する。
本実施例では、角度保持部９２は、不正防止具１を、上面が少し前方へ傾くような角度で保持しているため、ケース３への携帯電話などの出入れが行い易くなっている。
【００２３】
〔実施例１の作用及び効果〕
不正行為を行おうとする使用者が、スロットマシンＭのスタートレバーＬに糸状部材Ｔ（例えば、釣り糸、ピアノ線等、人の目に付きにくいもの）を結びつけて、その糸状部材Ｔを下に垂らして、足にくくりつけ、体感器が知らせるタイミングに合わせて、足でその糸を上下方向に動かそうとした場合について説明する（図２、３参照）。
【００２４】
まず、使用者が糸状部材Ｔをレバーに結びつけてスタートレバーＬの下に垂らそうとする際、不正防止具１がスタートレバーＬの下方に配置されているため、糸状部材ＴはスタートレバーＬの真下に下垂することができず、鍔状部４によって、糸状部材ＴはスタートレバーＬより前方で係止される。
このため、糸状部材Ｔを下方に引張ると、スタートレバーＬは下方に引張られるとともに前方にも引張られるので、上下方向に操作されるはずのスタートレバーＬの操作がしにくくなる。すなわち、スタートレバーＬを操作するのに必要な糸状部材Ｔの操作が、スタートレバーＬの真下に糸状部材Ｔを垂らして操作する場合よりも、難しくなり、使用者は足を動かすために不自然な動作をせざるを得なくなり、見回る店員は不正行為を発見しやすい。
【００２５】
次に、使用者が、体感器から知らされるタイミングの時に糸状部材Ｔを下方に引張ろうとする。鍔状部４の縁において、糸状部材ＴをスタートレバーＬの下方においてスタートレバーＬの真っ直ぐ前方で係止する係止位置を、第１係止位置Ｐ１とする。
第１係止位置Ｐ１で係止された糸状部材Ｔを下方に引っ張ろうとすると、糸状部材Ｔが当接しているのが円弧縁４１であり、さらに、円弧縁４１が円弧状に角取りされているために、糸状部材Ｔは円弧縁４１を滑り、係止位置が左右に移動する。例えば、右方向に滑り、第２係止位置Ｐ２まで滑る。
【００２６】
この際、使用者は、体感器が知らせるタイミングに合わせて下方に引張ろうとしたにも係わらず、糸状部材Ｔが右方向に滑るため、右下方向に糸状部材Ｔを引張ることになる。従って、下方にかけたはずの力が、右方向に分散してしまい、スタートレバーＬを下方に下げ切ることができない。すなわち、糸状部材Ｔが第１係止位置Ｐ１のまま定位置に停止することなく、円弧縁４１を滑り、係止位置が変動するため、スタートレバーＬは使用者の意図に反して操作される。
結果として、使用者は、スタートレバーＬを引き下げるタイミングを、体感器が知らせる入賞のタイミング通りにすることができず、不正に入賞を引き当てることができない。
従って、不正防止具１は、不正行為を阻止することができる。
【００２７】
また、係止部２の後方にケースがあるため、所持品等を入れるための物入れとしても使用することができる。特に、煙草を吸いながら使用する人の場合であれば、煙草の箱やライター等を入れておくことができる。
そして、ケース３の底板６４は、前面板６１及び側板６２、６２よりも下方に長い背面板６３の下端に設けられているため、前面板６１の下端と、底板６４との間には、開口部６６が形成される。これによれば、底板６４の汚れを、開口部６６から手を入れて掃除することができ、掃除しやすい。また、底板６４にあるゴミを取り出すのに、ケース３を逆さまにしなくても、底板６４の複数の貫通穴６４ａや、開口部６６から取り出すことができる。
【００２８】
〔変形例〕
実施例１では、鍔状部４は円弧縁４１を有していたが、例えば鍔状部４が頂点を前方に有する三角形状をしており、傾斜縁を有してもよい。
また、実施例１では係止部２は前方に円弧状に突出する円弧縁４１を有するが、これに限らず、糸状部材Ｔの係止位置を所定位置から滑らせるための傾斜縁または円弧縁４１を有し、傾斜縁または円弧縁４１が、糸状部材ＴにスタートレバーＬの操作方向の力が加えられる際に、係止された糸状部材Ｔの係止位置が定位置に停止するのを阻止し、係止位置を変動させる形状であればよい。例えば、上方に円弧状に突出する円弧縁４１を有しているのでもよいし、係止部２が頂点を上方に有する三角形状をしており傾斜縁を有しているのでもよい。
【００２９】
また、係止部２は鍔状部４に限らず、段形状をしていてもよい。
また、ケース３の形状が略半円柱上の形状または三角柱形状等、円弧状の外周または傾斜した外周を有する形状であり、係止部２が、ケース３の外周部分であってもよい。
【図面の簡単な説明】
【００３０】
【図１】（ａ）は不正防止具の斜視図であり、（ｂ）は鍔状部の拡大側面図である（実施例１）。
【図２】不正防止具が不正行為を阻止する様子の図である（実施例１）。
【図３】不正行為の説明図である。
【符号の説明】
【００３１】
１  不正防止具
２  係止部
３  ケース
４  鍔状部
４１  円弧縁
６１  前面板
６２  側面板
６３  背面板
６４  底板
６４ａ  貫通穴
６６  開口部
Ｍ  スロットマシン
Ｌ  スタートレバー
Ｔ  糸状部材
【図１】
2007135871.tif 000003
【図２】
2007135871.tif 000004
【図３】
2007135871.tif 000005